(57)【要約】【課題】レフィルの着脱容易性を確保しつつ、レフィルの収納安定性の向上を図る。【解決手段】レフィル３には化粧料が充填され、容器本体２にはレフィル３を収納するための収納スペース２ｃが設けられている。この収納スペース２ｃの内底面２ｄには、その一部を凹状に窪ませることにより、陥没部２ｆが設けられている。この陥没部２ｆの平坦面には、面ファスナーのフック片５ａが取り付けられているとともに、レフィル３の外底面３ａには、収納スペース２ｃ側のフック片５ａと位置的に対応して、ループ片５ｂが取り付けられている。【選択図】図４
2005205035.tif 000002
【特許請求の範囲】
【請求項１】
化粧料容器において、
化粧料が充填されるレフィルと、
前記レフィルを収納する収納スペースが形成されている容器本体と、
前記収納スペースの内底面に取り付けられた面ファスナーの一方の係止片と、
前記一方の係止片と位置的に対応して、前記レフィルの外底面に取り付けられた前記面ファスナーの他方の係止片とを有し、
前記一方の係止片と前記他方の係止片とが係合した状態における前記面ファスナーの厚みが1.0mm以下であることを特徴とする化粧料容器。
【請求項２】
化粧料容器において、
化粧料が充填されるレフィルと、
前記レフィルを収納する収納スペースが形成されているとともに、前記収納スペースの内底面の一部が凹状に窪んだ陥没部を有する容器本体と、
前記陥没部の平坦面に取り付けられた面ファスナーの一方の係止片と、
前記一方の係止片と位置的に対応して、前記レフィルの外底面に取り付けられた前記面ファスナーの他方の係止片と
を有することを特徴とする化粧料容器。
【請求項３】
前記陥没部の深さは、前記面ファスナーの厚みよりも0.1mm以上浅いことを特徴とする請求項２に記載された化粧料容器。
【請求項４】
前記一方の係止片は、ベースフィルムの表面に形成された微細なフック構造を有するフック片であり、
前記他方の係止片は、ベースフィルムにループ状の繊維素材がラミネートされたループ片であることを特徴とする請求項１から３のいずれかに記載された化粧料容器。
【請求項５】
前記面ファスナーの面積は、前記収納スペースの前記内底面の面積の25％以上75％以下であることを特徴とする請求項１から４のいずれかに記載された化粧料容器。
【発明の詳細な説明】
【技術分野】
【０００１】
本発明は、レフィルを収納する化粧料容器に係り、特に、レフィルの着脱構造に関する。
【背景技術】
【０００２】
従来より、顧客の嗜好の多様化または化粧料の取り替え等に対応すべく、容器本体に収納されるレフィル（化粧料収容皿）を着脱自在にした化粧料容器が知られている。例えば、特許文献１には、容器本体に形成された収納スペースの内底面と、固形化粧料が充填されるレフィルの外底面とに、面ファスナーの一対の係止片、すなわち、フック片とループ片とを設けた着脱構造が開示されている。
【特許文献１】実公昭６２−４１６９７号公報
【発明の開示】
【発明が解決しようとする課題】
【０００３】
このようなレフィルの着脱構造では、レフィルの着脱が容易であること、および、収納されたレフィルが安定していることの双方が要求される。しかしながら、上述した特許文献１では、収納されたレフィルの外底面が収納スペースの内底面から面ファスナーの厚さ分だけ浮き上がり、フック片とループ片との間の撓みによって収納されたレフィルのガタつきが生じる。そのため、レフィルの着脱容易性はともかく、その収納安定性の面で実用的ではなかった。
【０００４】
本発明は、かかる事情に鑑みてなされたものであり、その目的は、レフィルの着脱容易性を確保しつつ、レフィルの収納安定性の向上を図ることである。
【課題を解決するための手段】
【０００５】
かかる課題を解決するために、第１の発明は、化粧料が充填されるレフィルと、レフィルを収納する収納スペースが形成されている容器本体と、収納スペースの内底面に取り付けられた面ファスナーの一方の係止片と、一方の係止片と位置的に対応して、レフィルの外底面に取り付けられた面ファスナーの他方の係止片とを有し、一方の係止片と他方の係止片とが係合した状態における面ファスナーの厚みが1.0mm以下である化粧料容器を提供する。
【０００６】
第２の発明は、化粧料が充填されるレフィルと、レフィルを収納する収納スペースが形成されているとともに、収納スペースの内底面の一部が凹状に窪んだ陥没部を有する容器本体と、陥没部の平坦面に取り付けられた面ファスナーの一方の係止片と、一方の係止片と位置的に対応して、レフィルの外底面に取り付けられた面ファスナーの他方の係止片とを有する化粧料容器を提供する。
【０００７】
ここで、第２の発明において、陥没部の深さは、面ファスナーの厚みよりも0.1mm以上浅いことが好ましい。
【０００８】
また、第１または第２の発明において、一方の係止片は、ベースフィルムの表面に形成された微細なフック構造を有するフック片であり、他方の係止片は、ベースフィルムにループ状の繊維素材がラミネートされたループ片であることが好ましい。
【０００９】
さらに、第１または第２の発明において、面ファスナーの面積は、収納スペースの内底面の面積の25％以上75％以下であることが好ましい。
【発明の効果】
【００１０】
第１の発明では、0.1mm以下の厚みを有する薄い面ファスナーを用いてレフィルの取り付けを行うので、収納スペースの内底面に対するレフィルの浮き上がりが抑えられ、レフィルのガタつきが生じにくくなる。また、第２の発明では、収納スペースの内底面に陥没部を設けている。一対の係止片が係合した状態における面ファスナーの厚さは、陥没部によって規定されるスペースにて吸収され、自己の厚さに起因した面ファスナーの上方への突出量は陥没部の深さ分だけ低くなる。これにより、収納スペースの内底面に対するレフィルの浮き上がりが抑えられ、レフィルのガタつきが生じ難くなる。したがって、第１および第２の発明によれば、面ファスナーの利点である着脱容易性を維持しつつ、レフィルの収納安定性の向上を図ることが可能になる。
【発明を実施するための最良の形態】
【００１１】
図１は、ファンデーション、フェースカラー、アイシャドウ等の化粧料を収納する化粧料容器の斜視図である。この化粧料容器１は、容器本体２と、これに着脱可能なレフィル３とを主体に構成されており、レフィル３の交換によって、顧客が望む種類や色の化粧料を自在に組み入れられるようになっている。容器本体２は、一例として、ＡＢＳ、ＡＳ、ポリカーボネート樹脂、ポリエチレンテレフタレート樹脂（ＰＥＴ）等のプラスチックで形成されている。容器本体２には、開閉可能な蓋部２ａが取り付けられており、この蓋部２ａを開くことにより、レフィル３に収容された化粧料の表面が露出する。それとともに、蓋部２ａに取り付けられたミラー４、および、化粧料の表面を擦り取って肌に塗布する際に使用する化粧用具（パフ等）が収容された化粧用具入れ２ｂも露出する。
【００１２】
図２は、レフィル３を外した状態における容器本体２の斜視図である。容器本体２には、レフィル３を収納するための収納スペース２ｃが形成されている。この収納スペース２ｃは、面取りされた略矩形状の内底面２ｄと、この内底面２ｄの縁に沿って連続的に起立した側面部２ｅとを有し、これらによってレフィル３を収納するための収納形状が規定されている。ここで、側面部２ｅの高さは、収納されたレフィル３の外観上の見栄えを確保すべく、レフィル３の高さと略同一に設定されている。また、内底面２ｄの略中央または略左右対称に位置する部位は、その周囲よりも一段低くなっており、これにより、凹状に窪んだ陥没部２ｆが内底面２ｄの一部に形成されている。そして、この陥没部２ｆの平坦面には、面ファスナーの一方の係止片に相当するフック片５ａが取り付けられている。
【００１３】
図３は、レフィル３の斜視図であり、同図（ａ）は上方から見た斜視図、同図（ｂ）は下方から見た斜視図である。略矩形皿状のレフィル３は、一例として、アルミニウム、アルミニウム合金、ステンレス等の金属製、ポリエチレンテレフタレート樹脂等の合成樹脂で形成されており、上述した粉末化粧料を固形化したものが充填される。また、レフィル３の外底面３ａには、収納スペース２ｃ側のフック片５ａと位置的に対応して、面ファスナーの他方の係止片に相当するループ片５ｂが取り付けられている。交換時におけるレフィル３の方向依存性（前後左右の向き）をなくすために、ループ片５ｂはレフィル３の略中央または左右対称になるような位置に取り付けられる。
【００１４】
図４は、レフィル３の着脱構造の説明図である。容器本体２にレフィル３を取り付ける場合、ユーザは、同図（ａ）に示すように、レフィル３を下方に向かって収納スペース２ｃに嵌め入れる。これにより、同図（ｂ）に示すように、収納スペース２ｃ側のフック片５ａが、対向したレフィル３側のループ片５ｂと噛み合って係合する。この係合状態において、フック片５ａおよびループ片５ｂによって構成される面ファスナー５の厚さは、凹状に窪んだ陥没部２ｆによって規定されるスペースにて吸収される。これにより、レフィル３の外底面３ｂと、収納スペース２ｃの内底面２ｄ（陥没部２ｆを除く）とは、ほぼ当接した状態、或いは、離間しているとしても極めて近接した状態に維持されるため、レフィル３が安定的に保持される。ここで、面ファスナー５の厚さに対して陥没部２ｆを浅くし過ぎると、内底面２ｄに対してレフィル３が浮き上がり、レフィル３のガタつきが生じるので好ましくない。逆に、陥没部２ｆを深くし過ぎると、フック片５ａとループ片５ｂとの噛み合いが不十分になるので好ましくない。このような観点から、内底面２ｄを基準にした陥没部２ｆの平坦面の深さは、面ファスナーの厚さを考慮した上で適切に設定することが重要である。一方、容器本体２に収納されたレフィル３を取り外す場合、ユーザは、容器本体２に形成された取外穴２ｇに細い棒を挿入して、レフィル３を上方に押し上げればよい。
【００１５】
ところで、面ファスナー５としては、2mm〜3mmの厚さを有する比較的厚手の一般的な面ファスナーを利用することも可能である。しかしながら、この場合、（１）面ファスナーの厚さ分だけ陥没部２ｆを深く形成しなければならない、（２）陥没部２ｆを深くする場合には容器本体２を肉厚に形成する必要があり、化粧料容器１の大型化やコストアップを招く、（３）陥没部２ｆを浅く形成すると、レフィル３のガタつきを十分に解消することができないといった不都合が生じる可能性がある。そこで、このような不都合を回避すべく、メカニカルファスナーと呼ばれる極めて薄手で強力なせん断力を有する面ファスナーを用いることが好ましい（例えば、住友スリーエム株式会社製の商品（製品番号NC-2017））。
【００１６】
図５は、面ファスナー５として用いられるメカニカルファスナーの拡大断面図である。この面ファスナー５のフック片５ａは、例えば540μm程度の突出高を有するマッシュルーム状の微細フック８が表面に多数形成された薄手のベースフィルム９を主体に構成されている。また、このようなフック構造が形成された表面の裏面には、粘着剤１０が塗布されている。一方、面ファスナー５のループ片５ｂは、例えば400μm程度の突出高を有する微細ループ１２が表面に多数形成された薄手のベースフィルム９を主体に構成されており、具体的には、ベースフィルム９にループ状の繊維素材がラミネートされている。また、このようなループ構造が形成された表面の裏面には、粘着剤１０が塗布されている。このような面ファスナー５を化粧料容器１に取り付ける場合、粘着剤１０を覆っている剥離紙１１を剥がして、粘着剤１０の露出面を所定の部位２ｆ，３ａに貼り付ければよい。
【００１７】
本実施形態にかかる化粧料容器１の最適な仕様について、発明者が実験等を通じて鋭意検討した結果、下記の事項が判明した。まず、フック片５ａとループ片５ｂとが係合した状態における面ファスナー５の厚さは、1.0mm以下であることが好ましく、その下限は0.5mm以上（望ましくは0.6mm以上）であることが好ましい。その理由は、厚さが0.5mm未満だと、化粧料容器１の大きさや面ファスナー５の大きさによっては、係合強度を十分に確保できないからである。逆に、厚さが1.0mmを超えると、パフ等の化粧用具で化粧料を擦り取る際、面ファスナー５の噛み合いにずれが生じて、レフィル３のガタつきが生じるおそれがあるからである。また、同様の観点から、陥没部２ｆの深さは、面ファスナーの厚みよりも0.1mm以上浅いことが好ましい。さらに、面ファスナー５の面積は、収納スペース２ｃの内底面２ｄの面積の25％以上70％以下の範囲内であることが好ましい。その理由は、面積が25％未満だと、レフィル３のガタつきや横ぶれが生じるおそれがあり、落下強度も不十分となるおそれもある。逆に、面積が70％を超えると、収納スペース２ｃの内底面２ｄに面ファスナー５が余裕なく貼り付けられることになるため、貼付作業が難しくなり、また係合力が強くなりすぎてレフィル３の取り外しが困難になるおそれがある。
【００１８】
このように、本実施形態によれば、フック片５ａとループ片５ｂとが係合した状態における面ファスナー５の厚さが陥没部２ｆによって規定されるスペースによって吸収される。そのため、内底面２ｄに対する面ファスナー５の突出量を陥没部２ｆの深さ分だけ低く抑えることができる。これにより、収納スペース２ｃの内底面２ｄに対するレフィル３の浮き上がりが抑制され、レフィル３のガタつきが生じ難くなる。その結果、面ファスナー５の利点である着脱容易性を維持しつつ、レフィル３の収納安定性の向上を図ることが可能になる。
【００１９】
また、本実施形態によれば、収納スペース２ｃ側にループ片５ｂではなくフック片５ａを取り付けているため、陥没部２ｆに付着した化粧料粉末の払い落としが容易になる。通常、レフィル３の着脱は化粧料がなくなって新しいレフィル３と交換する際に行われることが多い。この交換に際して、容器本体２や古いレフィル３に付着していた化粧料粉末が陥没部２ｆに脱落し、面ファスナー５の一方の係合片に付着することがある。この一方の係合片をフック片５ａにすれば、これをループ片５ｂにした場合と比較して、付着した化粧料粉末を払い落とすことが容易であり、かつ、若干の化粧料粉末の付着による係合強度の低下といった問題も生じ難い。なお、このような問題を考慮しないのであれば、収納スペース２ｃ側にループ片５ｂを取り付けてもよい。
【００２０】
なお、本実施形態の変形例として、レフィル３の収納安定性を重視しないのであれば、上述した陥没部２ｆを設けることなく、面ファスナー５をレフィル３の外底面３ａと収納スペース２ｃの内底面２ｄとの間に介在させてもよい。
【図面の簡単な説明】
【００２１】
【図１】化粧料容器の斜視図
【図２】レフィルを外した状態における容器本体の斜視図
【図３】レフィルの斜視図
【図４】レフィル着脱構造の説明図
【図５】メカニカルファスナーの拡大断面図
【符号の説明】
【００２２】
１  化粧料容器
２  容器本体
２ａ  蓋部
２ｂ  化粧用具入れ
２ｃ  収納スペース
２ｄ  内底面
２ｅ  側面部
２ｆ  陥没部
２ｇ  取外穴
３  レフィル
３ａ  外底面
４  ミラー
５  面ファスナー
５ａ  フック片
５ｂ  ループ片
８  微細フック
９  ベースフィルム
１０  粘着剤
１１  剥離紙
１２  微細ループ
【図１】
2005205035.tif 000003
【図２】
2005205035.tif 000004
【図３】
2005205035.tif 000005
【図４】
2005205035.tif 000006
【図５】
2005205035.tif 000007